(57)【特許請求の範囲】
【請求項１】
給気や排気のための通風路の途中に連通状態に接続される風洞内に、熱により溶断する温度ヒューズによって通常はその風洞を開放しており、温度ヒューズの溶断で同風洞を閉止する回動ダンパーを組込んだ防火ダンパー装置であって、前記回動ダンパーを前記風洞を横断する支持軸に二枚のダンパー板をバネで閉止方向に付勢した状態に蝶着し、前記温度ヒューズで同ダンパー板を二枚重ねの開放状態に保持させた構成となすとともに、前記風洞の開放状態の前記ダンパー板の合せ部分に対向する外周部に開閉可能の蓋を備えた内側に狭まる切断面の点検口を設け、その点検口を開設する際にできる抜取り材で同点検口に密接状態に収まる蓋が構成されるようにした防火ダンパー装置。
【発明の詳細な説明】
【０００１】
【発明の属する技術分野】
本発明は、給気や排気のための通風路の途中に防火のために接続される防火ダンパー装置に関するものである。
【０００２】
【従来の技術】
給気や排気のための通風路は、多くがダクトにより構成され火災時等の延焼の防止や空気補給を断つための防火ダンパー装置が設けられる。防火ダンパー装置は、種々開発されており、実開昭６２―１８９５４４号公報に示されているような温度ヒューズが溶断するとウエイトによりダンパーが閉じるものの他に、バネの付勢力でダンパーが閉じるものがある。ウエイトで閉じるものは、ダンパーの復帰操作が容易であるが取付け姿勢に自由性がなく適用し難いことがある。バネ力で閉じるものは閉止動作も速やかで、取付け姿勢に自由性もあることから広く適用されているがバネ力に抗してダンパーを支えていないと元の状態に復帰させることができず、復帰操作がややし辛い。
【０００３】
ダンパーの復帰操作についてはこの種の防火ダンパー装置が、例えば図９に示すように通風路の屋外側開口端に装着するものが大半であり、図示のものの場合、ガラリ２０を外しフード２１の開口部から操作することによって閉じた二枚のダンパー板を元の状態に戻し、新規な温度ヒューズ２２に付替えることにより復帰させることができる。この他にも実開昭６２―１８９７５５号公報に示されているような通風路の途中に設けられる中間取付型の防火ダンパー装置もある。中間取付型では温度ヒューズの交換や閉止したダンパーの復帰のための点検口が必要であり、実開昭６２―１８９７５５号公報のものでは温度ヒューズが臨む風洞の一部に蓋付きの点検口が開設されている。
【０００４】
【発明が解決しようとする課題】
上記した従来の中間取付型のダンパー装置においては、一枚のダンパーをバネ力と温度ヒューズによって釣り合い状態にしてダンパーを開放状態にしているため、温度ヒューズ側に臨む点検口から閉止動したダンパーを元の位置に戻す復帰操作がとても面倒であるばかりでなく、ダンパーを閉止動作させるバネについてはダンパーの陰になって点検することが困難であるといった問題点がある。
【０００５】
本発明は、係る従来の問題点を解決するためになされたものであって、その課題とするところは、中間取付型の防火ダンパー装置の保守点検性の向上を図ることであり、その防火ダンパーのコストの低減や取付性の向上を推進することである。
【０００６】
【課題を解決するための手段】
前記課題を達成するために請求項1の発明は、給気や排気のための通風路の途中に連通状態に接続される風洞内に、熱により溶断する温度ヒューズによって通常はその風洞を開放しており、温度ヒューズの溶断で同風洞を閉止する回動ダンパーを組込んだ防火ダンパー装置について、その回動ダンパーを風洞を横断する支持軸に二枚のダンパー板をバネで閉止方向に付勢した状態に蝶着し、温度ヒューズでダンパー板を二枚重ねの開放状態に保持させた構成となし、風洞の開放状態のダンパー板の合せ部分に対向する外周部に開閉可能の蓋を備えた内側に狭まる切断面の点検口を設け、点検口を開設する際にできる抜取り材で点検口に密接状態に収まる蓋が構成されるようにする手段を採用する。
【０００９】
【発明の実施の形態】
図１〜図８によって示す本実施の形態は、給気や排気のためのダクト１で構成される通風路の途中に連通状態に接続される防火ダンパー装置に関するものである。この防火ダンパー装置は、図１〜図３に示すように両端の開放した直管状の風洞２内に、風洞２を開閉する回動ダンパーを組込んだ構成である。風洞２は、規格上１．５ｍｍ以上の厚さの鋼材により構成され、両端にダクト１が嵌合接続され、通風路の一部を構成する。風洞２の外周には、スリーブ３を有する取付フランジ４が取付けられている。取付フランジ４の中央に設けられたスリーブ３には、風洞２が中心線方向と周方向とに可動に挿通され、外周部からのネジ５による締め付けにより風洞２に対して位置決めされる。
【００１０】
回動ダンパーは、図３に示すように風洞２に圧入する保持リング６を横断する支持軸７に二枚の略半円形の鋼板製のダンパー板８をバネ９で閉止方向に付勢した状態に蝶着した構成で、熱により溶断する温度ヒューズ１０によって通常は風洞２を開放していて、温度ヒューズ１０の溶断によって風洞２を横断状態にバネ力によって閉止する。温度ヒューズ１０は、ダンパー板８二枚の反蝶着側の端を重ねた状態に図２に示すように保持している。風洞２の開放状態のダンパー板８の合せ部分に対向する外周部には開閉可能の蓋１１を備えた点検口１２が開設されている。点検口１２は温度ヒューズ１０の目視し脱着の可能な位置で、しかも二枚のダンパー板８を片手で二枚合せの状態に保持することのできる位置に設けられている。二枚のダンパー板８を付勢するバネ９もダンパー板８が閉止状態であれば点検口１２から目視することができる。
【００１１】
蓋１１は点検口１２を打抜いてできる残材の片面に点検口１２より少し大きな薄鋼板１３を固着して構成され、点検口１２を被覆する状態に風洞２にネジにより取付けられている。蓋１１については、図４や図５に示すように残材側か点検口１２の口縁内側に取付金具１５を対向状に延出させ、取付金具１５によりネジ締めして取付ける構成を採ることもできる。また、点検口１２の開口部が内側に狭まる切断面が得られるように精度良く打抜けば、残材側は点検口１２に密接状態に収まることになり、簡単な回動式の離脱防止構造等を風洞２側に設ければ、点検口１２の蓋として機能させることができる。これによって、蓋１１を蓋として別に１．５ｍｍ以上の板厚の鋼板から作らなくてもよく、風洞２と同等の厚みを持つ蓋１１が残材を利用して得られることになり、コストの低減が推進できる。
【００１２】
この防火ダンパー装置は、天井裏空間等に配管される通風路となるダクト１の途中に接続され、通風路の一部を構成する。取付フランジ４は、風洞２に対して中心線方向へ移動させ、図６，７に示すように天井裏等の室内側の壁面１６にネジ付けにして固定し、スリーブ３のネジ５を締めて位置決めする。図６，７に示すように天井面に設ける点検窓１７に対して、風洞２の点検口１２の位置が合致する方が保守点検がし易いが、建物の側やダクト１の配管の都合等で点検窓１７が横方向に少しずれても、取付フランジ４のスリーブ３に対して風洞２を回転させて点検口１２が点検窓１７の方に向くようにして位置決めすることができる（図８参照）。即ち、風洞２に位置調節可能な取付フランジ４を設けることにより、点検口１２を必要に応じ周方向のいずれの向きにも設定することができ、施工上の自由性を高くすることができる。
【００１３】
この防火ダンパー装置の防火機能についてはこれまでのものと変わらない。即ち、温度ヒューズ１０が熱により溶断すると、温度ヒューズ１０の二枚のダンパー板８に対する保持機能が失われ、二枚のダンパー板８はバネ９の付勢力により互いに反対方向へ回動して風洞２を横断する状態で風洞２を閉止する。これにより通風路による延焼が防止され、通風路による空気の補給も断たれ防火機能を果たす。一旦動作した回動ダンパーは新規な温度ヒューズ１０を使って元の状態に戻す復帰操作が必要である。復帰操作は正常に防火ダンパー装置が機能するか確認した後にも必要であり、その復帰操作の手順は次のとおりである。まず、点検窓１７を開けて防火ダンパー装置の蓋１１を開け点検口１２を開放する。
【００１４】
開放した点検口１２から手を入れ閉じた二枚のダンパー板８をバネ９の付勢に抗して開放側へ回動させ、二枚重ねの状態に保持しておいて、新規の温度ヒューズ１０を装着し、ダンパー板８を開放状態に維持させてから蓋１１を閉めればよい。点検口１２の回動ダンパーに対する位置関係と回動ダンパーの構成との兼合いにより、復帰操作においてバネ９で付勢されている二枚のダンパー板８を二枚重ねの状態に片手で保持していることは容易であり、もう一方の手を使ってダンパー板８に温度ヒューズ１０を装着することができる。このように、風洞２の点検口１２の回動ダンパーに対する位置関係と回動ダンパーの構成との組合せに関する工夫により中間取付型の防火ダンパー装置の保守点検性を向上させることができる。
【００１５】
【発明の効果】
請求項１の発明によれば、コストの低減を推進でき、取付性の良い中間取付型の防火ダンパー装置が得られる。
【図面の簡単な説明】
【図１】  実施の形態の防火ダンパー装置を示す斜視図である。
【図２】  実施の形態の防火ダンパー装置を一部を破断して示す斜視図である。
【図３】  実施の形態の防火ダンパー装置を示す分解斜視図である。
【図４】  実施の形態の防火ダンパー装置の蓋の構成を示す斜視図である。
【図５】  実施の形態の防火ダンパー装置の点検口の他の構成を示す斜視図である。
【図６】  実施の形態の防火ダンパー装置を取付状態で示す側面図である。
【図７】  図６におけるＡ矢視図である。
【図８】  実施の形態の防火ダンパー装置を取付状態で示す側面図である。
【図９】  従来の防火ダンパー装置を示す断面図である。
【符号の説明】
１  ダクト、  ２  風洞、  ４  取付フランジ、  ５  ネジ、  ７  支持軸、８  ダンパー板、  ９  バネ、  １０  温度ヒューズ、  １１  蓋、  １２  点検口。
【図１】
0003736233.tif 000002
【図２】
0003736233.tif 000003
【図３】
0003736233.tif 000004
【図４】
0003736233.tif 000005
【図５】
0003736233.tif 000006
【図６】
0003736233.tif 000007
【図７】
0003736233.tif 000008
【図８】
0003736233.tif 000009
【図９】
0003736233.tif 000010